(57)【要約】      （修正有）【課題】軽い釣り針や仕掛けルアー等を岸から遠いところまで投げ入れて、釣り人の任意操作で、釣り人の選んだ水深を釣り針や仕掛けルアー等を水中や水面を進ませて魚を釣る遠投補助具を提供する。【解決手段】金属製板状のおもり１で主に遠投に必要な慣性が得られ、水中の姿勢を制御するために、おもり１に取り付けられた浮力と揚力がある翼２の作用で、釣り人が釣り糸を自由に操作することで、釣り針とルアー等を任意の水深で本体と連動が可能であり、根掛かりも水深の調整で減らすことができ、４と５により釣り糸と本体の絡みを防ぎ、３の翼の取付方法で翼の取替が可能になり、金属製のおもり１を無駄に廃棄せず済むことから資源保護にも寄与し役に立つ。【選択図】図１
0003163816.tif 000002
【実用新案登録請求の範囲】
【請求項１】
魚釣りの際に、軽い釣り針や仕掛けルアー等を遠方の水中に投げ入れる際に遠くに飛ばせないことを解決するため、釣り針や仕掛けルアー等と釣り糸の間に結び付ける事でそれらを遠方に投げ入れるために必要な重量がある翼付のおもりで、尚かつ水中に投げ入れた際におもりに取り付けられた水中浮力を持つ材質で作られた翼は、水中を下降する時に翼の材質浮力の作用で翼上面を自然に水面方向へ向きが変わり、釣り糸を引く動作を利用し水面方向へ向け強く上昇させる揚力を持つ翼付のおもりであり、釣り糸を引く力の強弱を加減することで自重で水中に沈み込み上昇させるられ、水中を任意の上方向へ移動させられ翼付のおもり本体に結び付けられた釣り糸や仕掛けルアー等を本体に連動させて移動させられる上昇と下降の能力を持ち釣り糸と釣り針仕掛けルアー等を結び付ける際には本体と釣り糸や釣り針仕掛けルアーが絡み付くことを防ぐための、撚り戻し金具を用いた工夫が施されていて翼が破損した場合は翼だけを単体として、取替可能な仕組みを特徴とする魚釣り用の釣り針等遠投用補助具。
【考案の詳細な説明】
【技術分野】
【０００１】  本考案は、釣りに使用するおもりに関し、特に、釣り針等を遠くに飛ばし一定の水深で進ませる機能に関するものである。
【背景技術】
【０００２】  魚釣りの時、岸から離れた場所にいるだろう魚を釣る場合には、その魚種にあった針や仕掛け、ルアー等を選ばなくてはならないが、その形状や重量は多種多様であり、軽いものから重いものまであることから、特に軽いものである場合には、竿の撓りを利用をして遠くに投げ入れることを試みても、風に押し戻されたり遠くに飛ばすだけの慣性が弱く遠へ飛ばせないので、軽い釣り針や仕掛けルアー等の場合には飛距離を伸ばすために、釣合の取れたおもりを取り付けて、より遠くに飛ばしていたが釣り針やルアー等におもりを加えた分だけ重くなり水面よりも深い位置を通り、理想とする水深に釣り針やルアー等を進ませることが出来ず、根掛かりも発生したりと釣果が伸びない大きな問題があった。【０００３】  魚は水温や天気、海流や潮の満ち引きなどの影響を受けて、水中を泳ぐ深さを変える習性があり、釣り針や仕掛けルアー等をその位置に合わせ進ませる必要と、釣り人が意図する任意の水深で釣ることが可能となれば、一段と釣果を伸ばすことができ目的の魚を多く釣ることが出来るようになるが、おもりの代わりとして重量があり水中で浮力がある浮きなど釣り針やルアー等に取付た場合には、浮力を持たせるだけでは釣り針や仕掛けルアー等は直ぐに水面近くに浮き上がり、釣り糸や仕掛けルアー等を一度水中に投げ入れてしまうと釣り人の意思では針や仕掛けルアー等の水深を変えることは安易ではなく、求める水深に釣り針や仕掛けルアー等を進められない問題が存在していた。
【考案の概要】
【考案が解決しようとする課題】
【０００４】  釣り針や仕掛けルアー等を如何に遠くに投げ入れ、釣り人が操る釣り糸の操作から自在に水面から下層までの広い範囲の魚を、根掛かりなどのトラブルを減らし、効率良く釣り上げること目的として前途の欠点を解決するものである。
【課題を解決するための手段】
【０００５】  本考案は、釣り針や仕掛けルアー等を遠くに投げ入れることができる、釣り竿の性能を最大限に活用できるおもりとしての役目を持たせて、尚かつ、釣り針や仕掛けルアー等を釣り糸を操る釣り人の任意の動作により、水中で釣り針や仕掛けルアー等が進む水深を制御することが可能とするために、水中に早く沈むことも考慮されていて、釣り糸を引く速度によって投げ入れた途中からでも、釣り針や仕掛けルアー等の水深を自在に変えることを可能とするために、釣り糸を引く力を利用し、航空機の翼が揚力を発生させる作用を応用した形状の翼が水中を進むことで大きな揚力が発生して、その力を利用し結び付けられた釣り針や仕掛けルアー等が翼付のおもりと共に連動し水深を変え位置を変化させて翼の揚力で水面方向へ正しく導くために、翼を水中で水面方向に向ける必要条件を満たすため翼の材質を水中にて浮力を持ち強度がある材質材料を選択し製作をして取り付けることで水中に投げ入れられた場合の不特定の向きに上昇に向かわせる向きに修正して、翼が下向きで水中を下方に進むことを防ぐ対策が施されることが必要であり、水中に既に沈んでいる視界から見えなくなった釣り針や仕掛けルアー等を不意に下層に引き込むことのないように工夫し、根掛かりを発生をさせないよう施し問題を解決させている。
【考案の効果】
【０００６】  上述の様に、本考案の釣り針等遠投用補助具を使うことにより、軽い釣り針や仕掛けルアー等を遠いところまで投げ入れることが可能となり、釣りの範囲が広がり水深を自在に可変するので重いおもりを使った時の根掛かりも大幅に減少し、様々な水深にいる様々な魚種の魚の付近を釣り針やルアー等が移動することで魚の興味を引き付けて、水中の見えない所にいる魚を幅広く探り誘うことができる利点がある。
【図面の簡単な説明】
【０００７】
【図１】本考案の釣り針等遠投用補助具の実施方法を示す側面図である。
【図２】本考案の釣り針等遠投用補助具の上方から見た平面図である。
【考案を実施する為の形態】
【０００８】  軽い釣り針等を遠くへ飛ばすおもりの役目を金属板を用いる事で解決し翼単体を取替が可能な方法を用い本体のおもりに取り付けることで強い揚力が得られおもりが水中に沈む速さを釣り糸を引く力で水中を移動させる位置を容易に制御させることが実現した。
【実施例】
【０００９】  図１は、本考案装置の側面図であって、１〜５は図２と同様である。また、Ａは釣り糸を引く方向と推進力、Ｂは水面方向と揚力浮力方向、Ｃは沈む方向と重力方向である。【００１０】取り付けられた釣り針やルアーなどを遠くに投げ入れるために適した重量をおもり１を金属製にすることで、本体全体の重量は軽い釣り針や仕掛けルアー等を、遠くに飛ばすだけの慣性が発生し遠投が可能で、着水後は本体はおもり１の重量で結び付けられた釣り針や仕掛けルアー等を、水中に沈ませるだけの重量もあるので、水中に沈み込ませるおもりの役目を果たしている。【００１１】本体が水中に沈み続ける間に、水面方向Ｂに本体と釣り針や仕掛けルアーを上昇させるために翼２を水面方向Ｂに翼２の形状曲面側を、水面方向Ｂに水中で位置を変えさせるめに体勢を変える浮力を得るため、翼２の材質は水中で浮力がある材質を使用し、その形状は翼２とする立体的な形状であって、単なる平な翼ではなく、立体的にすることで、翼２は水中で浮力を大きく発生するだけの容積を確保ができて、航空機などが用いる翼２の形状は水中で強い揚力を発生させ、推進力Ａの引く力により水面方向Ｂに向けて本体に結び付けられた、釣り針とルアー等を水面方向Ｂに、強く引き上げる効果がある。【００１２】釣り糸を引く力の方向Ａは、本体を釣り人の方向へ向かわせる推進力Ａとなり、その力が本体に加えられている間は、翼２の材質と曲線を持たせた形状が、航空機が滑空をする原理と同じ現象で強く本体を水面方向Ｂに持ち上げ、水中での揚力が本体を水面方向Ｂに持ち上げ続けることで、本体の重心は釣り糸を引く方向Ａ側に移り、本体後方を浮き上がらせ水中を安定した姿勢で移動し続けて、推進力Ａを弱めると重心変化が起こり、翼２の水中の浮力によって、重心は本体の後方に移動して、本体後方が先に重力方向Ｃに沈み込む本体の後方部分が先に沈み込む現象によって、翼２の角度が推進力Ａに比例し水面方向Ｂに向かわせるための上昇に有利な、翼２の位置角度が得られる姿勢になり、推進力Ａが強く引かれた場合には、速く水面方向Ａに本体が移動し、再び推進方向Ａを弱くすると自重で水中に沈み込み、推進力Ａを全くかけない場合には、おもり１の形状から前方に重心が移り揚力を失い水中を重力方向Ｃに降下し続ける。【００１３】推進力Ａを強く加え続けた場合には、本体は水面まで上昇し水面まで達すると水面の位置を保持し進み、推進力Ａを弱めると本体自重により水中へ沈み込むので、その動作を釣り人が釣り糸を引き寄せる力の操作の加減によって、推進力Ａに強弱を付けることで、本体の浮き沈みを任意に調整をすることが可能なので、釣り人が求める任意の水深で本体を移動させることが可能となり、本体に結び付けられた釣り針やルアー等も、本体と連動をして任意の水深を移動させられ、根掛かりの危険がある場所では、釣り糸を強く引くことによって、前もって根掛かりをする場所がわかっている場合には、素早く上昇させると根掛かりを効率良く回避することができる。【００１４】翼２の取付は、翼２に２ヶ所の穴をあけ、先に本体に埋め込め込まれている、翼２固定用の２本の銅線に翼２の穴へ通し３の形状に銅線を曲げて切りそろえ、３の部分を半田付けをすること���翼２と本体は確実に固定され、固定のために銅線を使用することで、水分による腐食防止に効果があり本考案装置の耐久性も大きく向上し、銅線は半田付けも可能で翼２が破損をした時には、翼取付部分３の半田をハンダゴテ等を使い、半田を溶かすことで翼取付部分３が開放され、翼２を単体で交換することが可能になり、翼２が破損をして使用不能となった場合、おもり１を無駄に廃棄しなくても済み、金属製のおもり１を再利用することが可能になると、限りある金属資源の無駄も生じず、社会貢献に大きく寄与をすることができる。【００１５】本考案装置本体に釣り糸と釣り針仕掛けルアー等を結ぶ方法を、組み合わされた撚り戻し４の形状として結び付けることで、釣り糸、釣り針やルアー等、本体、それぞれの単体が別々の動きをすることから生じる釣り糸の捻れを、それぞれに接続された撚り戻しが動作をすることにより、本体に対して釣り糸や釣り針やルアー等が、水中ので絡み合う現象を大幅に少なくすることができる。【００１７】組み合わされた撚り戻し４から任意の長さの釣り糸の先に釣り針やルアー等の取付部分５に本体の動きと連動をさせたい釣り針や仕掛けルアー等を取り付ける。【００１８】おもり１に金属を使用することで遠投に必要な重量を持たせ、遠くに飛ばせない軽い釣り針やルアー等をより遠くに飛ばせるだけの慣性が得られ、遠投が可能となった分遠い位置に釣り針やルアー等を投げ込め、水中に潜む魚をより長く探ることができ、任意の水深で魚を探ることができることは、魚釣りをする人にとっては、とても大きな利点があり、釣果の向上におおいに役立つ。
【符号の説明】
【００２０】１  おもり本体
２  翼
３  翼取付部分
４  組合わされた撚り戻し
５  釣り針やルアー等の取付部分
Ａ  釣り糸を引く方向と推進力
Ｂ  水面方向と揚力浮力方向
Ｃ  沈む方向と重力方向
【図１】
0003163816.tif 000003
【図２】
0003163816.tif 000004